(57)【特許請求の範囲】
【請求項１】
多パスの熱交換器の各冷媒管に導入管からの冷媒を分流させる熱交換器の冷媒分流装置において、
熱交換器の一端面側に上下に配列した冷媒管を接続する複数のベンドを備え、
分流部のベンドの直管部が、それに隣接したベンドよりも長く外側に突出するように、分流部のベンドの直管部長さを、それに隣接したベンドの直管部長さよりも長く形成すると共に、当該分流部のベンドの曲管部を避けた当該曲管部と直管部との接合部に略真下に延びた前記導入管を前記曲管部に所定角度傾けて接合したことを特徴とする熱交換器の冷媒分流装置。
【請求項２】
圧縮機、凝縮器、減圧装置、及び蒸発器を備えた空気調和装置において、
凝縮器および／または蒸発器を多パスの熱交換器で形成し、
熱交換器の一端面側に上下に配列した冷媒管を接続する複数のベンドを備え、
分流部のベンドの直管部が、それに隣接したベンドよりも長く外側に突出するように、分流部のベンドの直管部長さを、それに隣接したベンドの直管部長さよりも長く形成すると共に、当該分流部のベンドの曲管部を避けた当該曲管部と直管部との接合部に略真下に延びた前記導入管を前記曲管部に所定角度傾けて接合したことを特徴とする空気調和装置。
【発明の詳細な説明】
【０００１】
【発明の属する技術分野】
本発明は、多パスの熱交換器における各冷媒管への冷媒分流装置及びそれを用いた空気調和装置に関する。
【０００２】
【従来の技術】
一般に、多パスの熱交換器にあっては、各冷媒管にほぼ均等に冷媒を流し、各パス毎に均等な熱交換がおこなわれるように、各冷媒管に導入管からの冷媒を分流させる分流装置が必要になる。
【０００３】
従来の分流装置は、例えば、特許第３０３６９２９号公報に開示のように、分岐管と曲がり部の間にこの曲がり部の曲がり方向と逆の方向に曲げられた補助曲がり部を形成したものが知られている。
【０００４】
【発明が解決しようとする課題】
従来の構成では、曲がり部や補助曲がり部の曲がり角度を設定しにくく、仮に設定しても製作が困難になる等の問題があった。
【０００５】
そこで、本発明の目的は、上述した従来技術が有する課題を解消し、簡単にしかも正確に冷媒を分流させることができる冷媒分流装置及びそれを用いた空気調和装置を提供することにある。
【０００６】
【課題を解決するための手段】
請求項１に記載の発明は、多パスの熱交換器の各冷媒管に導入管からの冷媒を分流させる熱交換器の冷媒分流装置において、熱交換器の一端面側に上下に配列した冷媒管を接続する複数のベンドを備え、分流部のベンドの直管部が、それに隣接したベンドよりも長く外側に突出するように、分流部のベンドの直管部長さを、それに隣接したベンドの直管部長さよりも長く形成すると共に、当該分流部のベンドの曲管部を避けた当該曲管部と直管部との接合部に略真下に延びた前記導入管を前記曲管部に所定角度傾けて接合したことを特徴とするものである。
【０００７】
請求項２記載の発明は、圧縮機、凝縮器、減圧装置、及び蒸発器を備えた空気調和装置において、凝縮器および／または蒸発器を多パスの熱交換器で形成し、熱交換器の一端面側に上下に配列した冷媒管を接続する複数のベンドを備え、分流部のベンドの直管部が、それに隣接したベンドよりも長く外側に突出するように、分流部のベンドの直管部長さを、それに隣接したベンドの直管部長さよりも長く形成すると共に、当該分流部のベンドの曲管部を避けた当該曲管部と直管部との接合部に略真下に延びた前記導入管を前記曲管部に所定角度傾けて接合したことを特徴とする。
【００１２】
【発明の実施の形態】
以下、本発明の一実施形態を添付の図面を参照して説明する。
【００１３】
図１は、室内機の断面図を含む空気調和装置の系統図である。この室内機１は、図示を省略した運転周波数が制御可能な圧縮機１２、室外熱交換器１３及び減圧装置１４を内蔵する室外機１１と、ユニット間配管１６で接続されて空気調和装置１０を構成している。
【００１４】
この室内機１のケースは、前面側の前ケース部２Ａと、この前ケース部２Ａの前部に設けられ、室内の空気の吸気口を備えた吸込パネル２Ｂと、背面側の後ケース部２ｃとで構成されている。
【００１５】
このケース内には、室内の空気を加熱／冷却／除湿する室内熱交換器４と、室内の空気を吸込パネル２Ｂの吸気口から吸い込み、室内熱交換器４で加熱／冷却／除湿して再び室内に循環させる送風ファン５と、この送風ファン５により吸引される室内の空気の比較的大きな塵を除塵するエアフィルタ７と、エアフィルタ７を通過した室内の空気の比較的細かい塵を更に除塵する空気清浄フィルタ８とが設けられている。
【００１６】
６はドレンパンを示し、このドレンパン６の下方には冷風／温風の吹出口９が形成されている。この吹出口９には上下風向変更羽根９Ａと、左右風向変更羽根９Ｂとが設けられている。
【００１７】
室内熱交換器４は、３つの熱交換部４Ａ、４Ｂ、４Ｃに分割されている。そして、本空気調和装置が暖房運転されるときには、すべての熱交換部４Ａ、４Ｂ、４Ｃが凝縮器として機能し、冷房運転されるときには、すべての熱交換部４Ａ、４Ｂ、４Ｃが蒸発器として機能する。
【００１８】
２つの熱交換部４Ａ、４Ｂを蒸発器として機能させながら、残りの熱交換部４Ｃを再熱器として機能させると、冷却して除湿した空気を加熱して室内に送風する本格ドライ運転が可能になる。
【００１９】
この空気調和装置１０の制御装置１５は、上述の如く室内熱交換器４の熱交換部４Ａ、４Ｂ及び４Ｃを、暖房運転時に凝縮器として機能させ、冷房運転時に蒸発器として機能させる。また、制御装置１５は、本格ドライ運転時には、熱交換部４Ａ及び４Ｂを蒸発器とし、熱交換部４Ｃを再熱器としてそれぞれ機能させるとともに、圧縮機１２の電動モータへ供給される交流電源の運転周波数（以下、圧縮機１２の運転周波数という）を制御して、室温を低下させることなく良好な除湿を実現する。
【００２０】
図２は、室内熱交換器４の正面図、図３は、同じく室内熱交換器４の端面図である。室内熱交換器４の冷媒の流れを簡単に説明すると、図３を参照し、入口管５１を経た冷媒は、実線矢印で示すように、管５２に入り、熱交換部４Ｃの上辺部の冷媒管を蛇行して、管５３に至る。この管５３を経た冷媒は、分流器５４に入り、ここで管５５と管５６とに分流する。
【００２１】
一方の管５５に分流した冷媒は、管５７に入り、熱交換部４Ｃの冷媒管の一部を蛇行して管５８に至り、管５９を経て電磁弁（ドライ弁）４１に流入する。他方の管５６に分流した冷媒は、管６０に至り、熱交換部４Ｂの冷媒管の一部を蛇行して、管６１に至り、熱交換部４Ｃの冷媒管の一部を蛇行して、電磁弁４１に流入する。このドライ弁４１で合流した冷媒は、マフラ４３を通って、分流器４５に入る。この分流器４５では、図２に示すように、多パスの管６３及び管６４に分流する。一方の管６３に分流した冷媒は、図３を参照して管６５に至り、管６６を経て集合管６７に入る。他方の管６４（図２）に分流した冷媒は、図３を参照して、管６８に至り、管６９を経て集合管６７に入る。この集合管６７に合流した冷媒は、出口管７０を経て流出する。
【００２２】
本実施形態では、ドライ弁４１、マフラ４３を通った後の冷媒を分流させる分流器（冷媒分流装置）４５に特徴を有する。
【００２３】
この分流器４５は、図４に示すように、各管６３，６４への分流部に略Ｕ字状に曲げたベンド７１を備え、このベンド７１の曲管部７１Ａを避けた直管部７１Ｂに、マフラ４３につながる導入管７３を接合して構成されている。図５に示すように、導入管７３の軸線Ｌ１は、曲管部７１Ａの軸線Ｌ２に対し、角度θだけ傾いて接合され、図４に示すように、導入管７３は、直管部７１Ｂと略直交して接合されている。この分流部における、ベンド７１の直管部７１Ｂの長さは、図２に示すように、それと隣接した、それ以外のベンド１０１における直管部の長さよりも長く形成されている。これによれば、ベンド７１の直管部７１Ｂが、それに隣接したベンドよりも長く外側に突出するため、導入管７３と直管部７１Ｂの接合を容易におこなうことができる。
【００２４】
本実施形態では、導入管７３を通じて流入した冷媒が、分流器（冷媒分流装置）４５を介して、２つの管６３，６４に分流される。各管６３，６４に冷媒を均等に分流させる場合、重力、冷媒の動圧、遠心力等を、略均等に作用させることが重要である。上記の構成では、図４を参照して、導入管７３が略真下に延び、ベンド７１の曲管部７１Ａを避けた略直管部７１Ｂに接合されるため、導入管７３を通じて流入する冷媒に対し、重力、冷媒の動圧、遠心力等を、略均等に作用させることができ、実線矢印Ａ，Ｂで示すように、各管６３，６４に冷媒を略均等に分流させることができる。
【００２５】
本実施形態では、図４を参照し、導入管７３が、ベンド７１の曲管部７１Ａと直管部７１Ｂの接合位置７５に接合されている。そのため、導入管７３を管６４側に角度θ１だけ傾けている。この傾きθ１を設けないで、導入管７３を、直管部７１Ｂと直交させた場合、冷媒は、管６３よりも管６４側に多く流入する。本実施形態では、傾きθ１を設けることで、冷媒に遠心力を作用させるため、各管６３，６４に冷媒を略均等に分流させることができる。なお、導入管７３が、ベンド７１の直管部７１Ｂに接合された場合、上記傾きθ１を設けず、導入管７３を直管部７１Ｂと直交させればよい。
【００２６】
以上、一実施形態に基づいて、本発明を説明したが、本発明は、これに限定されるものではない。
【００２７】
上記構成では、空気調和装置を例にとって冷媒分流装置４５を備えた熱交換器を説明したが、この熱交換器は空気調和装置以外の冷凍装置に広く適用できることはいうまでもなく明らかである。
【００２８】
【発明の効果】
本発明では、従来のものと比べ、簡単にしかも正確に冷媒を分流させることができる等の効果を奏する。
【図面の簡単な説明】
【図１】本発明による空気調和装置の一実施形態を示す縦断面図である。
【図２】熱交換器の正面図である。
【図３】同じく熱交換器の端面図である。
【図４】冷媒分流装置を示す斜視図である。
【図５】同じく冷媒分流装置の正面図である。
【符号の説明】
４  室内熱交換器
４１  電磁弁（ドライ弁）
４５  分流器（冷媒分流装置）
６３，６４  管
７１  ベンド
７１Ａ  曲管部
７１Ｂ  直管部
７３  導入管
【図１】
0003842999.tif 000002
【図２】
0003842999.tif 000003
【図３】
0003842999.tif 000004
【図４】
0003842999.tif 000005
【図５】
0003842999.tif 000006